(57)【特許請求の範囲】
【請求項１】
映像・音声データをメモリカードに所定のフォーマットで記録再生するカード記録再生装置において、
映像・音声のフォーマット情報を前記メモリカードのブート領域又はユーザ領域に書き込む書込手段を備えることを特徴とするカード記録再生装置。
【請求項２】
映像・音声データをメモリカードに所定のフォーマットで記録再生するカード記録再生装置において、
前記メモリカードのブート領域又はユーザ領域に記録された前記映像・音声のフォーマット情報を読み取る読取手段と、
前記読取手段により読み取ったフォーマット情報を基に映像・音声のエンコード方式を切り換え、該切り換えたエンコード方式に基づいて映像・音声データを前記メモリカードに記録する記録手段と、
を備えることを特徴とするカード記録再生装置。
【請求項３】
映像・音声データをメモリカードに所定のフォーマットで記録再生するカード記録再生装置において、
前記メモリカードのブート領域又はユーザ領域に記録された前記映像・音声のフォーマット情報を読み取る読取手段と、
前記読取手段により読み取ったフォーマット情報を基に映像・音声のデコード方式を切り換え、該切り換えたデコード方式に基づいて映像・音声データを再生する再生手段と、
を備えることを特徴とするカード記録再生装置。
【請求項４】
さらに、記録又は再生する映像・音声データを、映像・音声の各種フォーマットに変換する変換手段を備えることを特徴とする請求項２記載のカード記録再生装置。
【請求項５】
さらに、映像・音声データを、映像・音声の各種フォーマットでデコードするデコード手段を備えることを特徴とする請求項３記載のカード記録再生装置。
【請求項６】
さらに、前記メモリカードに書き込まれた映像・音声のフォーマット情報を表示する表示手段を備えることを特徴とする請求項１乃至３のいずれかに記載のカード記録再生装置。
【発明の詳細な説明】
【０００１】
【発明の属する技術分野】
本発明は、映像・音声をメモリカードに記録再生するためのカード記録再生装置に関する。
【０００２】
【従来の技術】
映像・音声をメモリカードに記録再生するためのカード記録再生装置には、以下のようなものがある。例えば、特開平１１−２３４５８０号公報には、メモリカードに記録された映像・音声信号を再生する技術を用いたテレビ放送受信装置が開示されている。
また、カード記録再生装置で使用されるメモリカードには、以下のような種類と特性がある。
【０００３】
映像・音声を記録再生できることを特徴としたメモリカードとしては、現在、メモリスティック，マルチメディアカード，スマートメディア，ＳＤメモリカードなど様々なカードが誕生している。これらメモリカードの物理／論理フォーマットは統一されておらず、さらに、アプリケーションフォーマットも異なることから、映像・音声を記録再生するフォーマット（圧縮方法）もメモリカードに応じて異なっている。映像の圧縮方式としては、ＭＰＥＧ（Moving Picture Exprets Group）２，ＭＰＥＧ４，ＪＰＥＧ（Joint Photographic Exprets Group），Ｍ−ＪＰＥＧなど、また、音声の圧縮方式としてはＰＣＭオーディオ，ＡＴＲＡＣ３（Adaptive Transform Acoustic Coding 3），ＭＰ３（MPEG audio layer3），ＴｗｉｎＶＱ（transform domain weighted interleave vector quantization），ＡＡＣ（Advanced Audio Coding）などが挙げられる。
【０００４】
ある特定のメモリカードに対応したカード記録再生装置で映像・音声を記録再生する場合、そのメモリカードで規定されたフォーマット（圧縮方法）に対応する手段をその装置に設けておけば、そのメモリカードに映像・音声を記録し再生することができる。また、同じ方式を持つクローズドなシステムの中では、その特定のメモリカードを介して映像・音声データを自由に受け渡しすることができる。
【０００５】
また、パーソナルコンピュータ（以下、ＰＣという）やセットトップ・ボックス（以下、ＳＴＢという）などの端末機器（これらの機器を総称して、ここではホスト機器と称す）は、特定のメモリカードに対応する専用スロット以外にＰＣＭＣＩＡ（Personal Computer Memory Card Interface Association）カード用アダプタやＵＳＢ（Universal Serial Bus）アダプタなどを介して様々なメモリカードを利用する形態が考えられる。ここで、このホスト機器を使って映像・音声を記録する場合を考えると、ホスト機器には上記手段を介して様々なメモリカードを扱う可能性があるので、ターゲットとなるカード再生装置のデコード手段に応じて、ホスト機器が所有する映像・音声のエンコーダ装置を切り換え、あるいは指定して記録する必要がある。メモリカード一つ取っても、映像・音声の記録方式は用途に応じて変わることから、ターゲットとなるカード再生装置の仕様を確認してホスト機器のエンコーダ装置を設定する必要がある。
【０００６】
【発明が解決しようとする課題】
しかしながら、このような従来のカード記録再生装置にあっては、上述のホスト機器のように、メモリカードを特定しないカード記録装置は、ターゲットとなるカード再生装置がどんな映像・音声のデコード手段を備えているかを認識した上で、エンコード手段を設定しなければならないという不都合があった。
【０００７】
すなわち、映像・音声を記録再生できるメモリカードは様々なタイプが存在し、これらメモリカードの物理／論理フォーマットは統一されておらず、更に、アプリケーションフォーマットも異なることから、映像・音声を記録再生するフォーマット（圧縮方法）もメモリカードに応じて異なっている。特定のカード記録再生装置で映像・音声を記録する場合は問題ないが、機器間でメモリカードを受け渡す場合、両方の機器及び使用するメモリカードの仕様を熟知していないと機器間での記録再生ができないという課題が発生する。
【０００８】
本発明は、このような課題に鑑みてなされたものであって、カード再生装置の情報（映像・音声のフォーマット）を簡単かつ自動的に入手し、それに合わせて映像・音声を記録できるカード記録再生装置を提供することを目的とする。
【０００９】
【課題を解決するための手段】
本発明のカード記録再生装置は、映像・音声データをメモリカードに所定のフォーマットで記録再生するカード記録再生装置において、映像・音声のフォーマット情報を前記メモリカードのブート領域又はユーザ領域に書き込む書込手段を備えることで、使用するメモリカードに再生可能な映像・音声のフォーマット（圧縮方式）に関する情報を記録することが可能となる。
【００１０】
また、映像・音声データをメモリカードに所定のフォーマットで記録再生するカード記録再生装置において、前記メモリカードのブート領域又はユーザ領域に記録された前記映像・音声のフォーマット情報を読み取る読取手段と、記録又は再生する映像・音声データを、映像・音声の各種フォーマットに変換する変換手段と、前記読取手段により読み取ったフォーマット情報を基に映像・音声のエンコード方式を切り換え、該切り換えたエンコード方式に基づいて映像・音声データを前記メモリカードに記録する記録手段と、を備えることで、カード記録再生装置で記録した情報を基に、映像・音声データを記録する方式を自動的に設定しメモリカードに記録することが可能となる。
【００１１】
また、映像・音声データをメモリカードに所定のフォーマットで記録再生するカード記録再生装置において、前記メモリカードのブート領域又はユーザ領域に記録された前記映像・音声のフォーマット情報を読み取る読取手段と、映像・音声データを、映像・音声の各種フォーマットでデコードするデコード手段と、前記読取手段により読み取ったフォーマット情報を基に映像・音声のデコード方式を切り換え、該切り換えたデコード方式に基づいて映像・音声データを再生する再生手段と、を備えることで、カード記録再生装置で記録した情報を基に、映像・音声データを再生する方式を自動的に設定しメモリカードから再生することが可能となる。
【００１２】
さらに、例えば、映像・音声データを記録する際に、第１のカード記録再生装置を一旦経由して第１のカード記録再生装置の情報を入手した上で、第２のカード記録再生装置で記録し、その記録したメモリカードを第１のカード記録再生装置で再生する手順を踏むことで、様々な映像・音声のフォーマット（圧縮方式）を持つメモリカードの記録再生を簡単かつ自動的に行うことが可能になる。したがって、使用するメモリカードを、一旦、第１のカード記録再生装置に挿入した後で第２のカード記録再生装置に挿入すると、第１のカード記録再生装置で再生互換が取れるため、映像・音声を簡単かつ自動的に記録することができる。
【００１３】
また、前記メモリカードに書き込まれた映像・音声のフォーマット情報を表示する表示手段を備えることで、記録する映像・音声のフォーマット（圧縮方式）を表示することが可能となる。
【００１４】
【発明の実施の形態】
以下、添付図面を参照しながら本発明の好適なカード記録再生装置の実施の形態について詳細に説明する。
第１の実施の形態
図１は、本発明の第１の実施の形態のカード記録再生装置の全体構成を示す図であり、メモリカードに映像・音声のフォーマットを記録するカード記録再生装置を示す。なお、本実施の形態のカード記録再生装置はメモリカードに映像・音声のフォーマットを記録する構成例を示し、後述する第２の実施の形態のカード記録再生装置２００（図３）で処理するものとする。
【００１５】
図１において、１はメモリカード、２はメモリカード１に映像・音声のフォーマットを記録再生するカード記録再生装置１００の基本回路部であり、カード記録再生装置１００の基本回路部２は、カードスロット３、カードＩＦ／制御回路４、デマルチプレクサ５、ビデオデコーダ部６、オーディオデコーダ部７、映像信号Ｄ／Ａ変換器８、音声信号Ｄ／Ａ変換器９、映像出力端子１０、音声出力端子１１、ＣＰＵ１２（書込手段）、及び表示部１３（表示手段）から構成される。
【００１６】
本カード記録再生装置１００は、メモリカード１に記録された映像・音声（音楽）データを取り出して再生する装置（用途に応じて、映像再生装置、音声再生装置、映像音声再生装置の各装置がある）に、再生方式（映像・音声のフォーマット）をデータとしてメモリカード１に記録する手段を設けた記録再生装置である。
【００１７】
図２は、メモリカード１のデータ構造例を示す図である。
メモリカード１のデータ構造は、ヘッダー（ブロックＩＤ），システムエントリー，ブート，アトリビュート，ＣＩ（カード・インフォメーション）などからなるブート領域１ａと、ＴＯＣ（テーブル・オブ・コンテンツ）情報，データが記録されるユーザ領域１ｂからなる。
【００１８】
カード記録再生装置１００を用いた再生手順について説明する。
挿入されたメモリカード１は、カードスロット３を介してカードＩＦ／制御回路４に接続されており、メモリカード１に記録されたデータをＣＰＵ１２のコントロールにより読み出し、デマルチプレクサ５に出力する。メモリカード１のデータ構造は大まかに表現すると図２に示されるように、ヘッダー，システムエントリー，ブート，アトリビュート，ＣＩ（カード・インフォメーション）などからなるブート領域１ａと、コンテンツデータが記録されるユーザ領域１ｂからなるが、デマルチプレクサ５では、ブート領域１ａのデータ及びユーザ領域１ｂの信号データのＴＯＣ（テーブル・オブ・コンテンツ）情報を読み出しＣＰＵ１２に出力し、それを受けたＣＰＵ１２ではこれらの情報を基にメモリカード１に記録されたコンテンツの再生情報を読み取り再生動作をコントロールする。
【００１９】
ＣＰＵ１２からの制御信号を受けたデマルチプレクサ５は、ユーザ領域１ｂのコンテンツデータを抜き取り、ビデオデコーダ部６及びオーディオデコーダ部７に出力し、ビデオデコーダ部６及びオーディオデコーダ部７は、所定の信号再生（復調）処理をして、Ｄ／Ａ変換器８，９にてアナログ信号に変換した後、出力端子１０，１１から映像・音声信号を出力する。なお、映像のみ、音声のみしか持たない記録再生装置では、ビデオデコーダ部６、オーディオデコーダ部７及びＤ／Ａ変換器８，９は、それぞれ一系統で構成できる。
【００２０】
メモリカード１に記録される映像・音声のフォーマット（圧縮方式）は、代表的なものでも、映像ではＭＰＥＧ２，ＭＰＥＧ４，ＪＰＥＧ，Ｍ−ＪＰＥＧなど、音声（音楽）ではＰＣＭオーディオ，ＭＰ３，ＡＴＲＡＣ３，ＡＡＣ，ＴｗｉｎＶＱなど様々な方式が検討されており、圧縮技術の発展により更に拡大していくと予想される。
【００２１】
本発明では、各種存在する映像・音声のフォーマット（圧縮方式）を持つコンテンツデータを簡単に機器間で受け渡し可能にすることを特徴としている。以下その方法について説明する。
【００２２】
挿入されたメモリカード１にコンテンツデータが記録されている場合、カード記録再生装置１００のＣＰＵ１２では、上述のようにして読み出された情報からこのコンテンツデータが再生できるか否かを判断する。コンテンツのデータ記録方式とカード記録再生装置１００の再生方式のタイプが一致するときは、再生が可能な場合と判断し、メモリカード１に何も手を加えない。一方、コンテンツのデータ記録方式とカード記録再生装置１００の再生方式のタイプが一致しない、又は判断できないときは再生不可能な場合と判断して、本実施の形態で述べる“必要な記録方式を示す情報（映像・音声のフォーマット（圧縮方式））”をメモリカード１に書き込む。メモリカード１にコンテンツデータが記録されていない場合も同様に、“必要な記録方式を示す情報（映像・音声のフォーマット（圧縮方式））”をメモリカード１に書き込む。
【００２３】
メモリカード１に書き込む場所は、図２に示すブート領域／ユーザ領域どちらの領域に書き込むことが可能であり、後述するカード記録再生装置２００とペアでシステムが組めるような最適な位置に書き込むことが望ましい。ここで、ブート領域は、起動・カードシステムに関係する重要な部分であり無闇に書き込むことは許されないが、リザーブされた部分がどのメモリカードにも準備されているので、そのリザーブ領域を使うことになる。
【００２４】
このようにして、メモリカード１には、カード記録再生装置１００が再生可能な映像・音声のフォーマット（圧縮方式）が何かが判別可能な情報が記録されることになる。
【００２５】
第２の実施の形態
図３は、本発明の第２の実施の形態のカード記録再生装置の全体構成を示す図であり、カード記録再生装置１００の再生情報を入手し、映像・音声を記録するカード記録再生装置を示す。本実施の形態の説明にあたり、図１と同一構成部分には同一符号を付している。
【００２６】
図３において、１はメモリカード、１４は汎用アダプタ、１５はメモリカード１に映像・音声を記録再生するカード記録再生装置２００の基本回路部であり、カード記録再生装置２００の基本回路部１５は、カードスロット３、カードＩＦ／制御回路１６、デマルチプレクサ５、マルチプレクサ１８、映像・音声再生回路１９、セレクタ２０（映像用セレクタ１）（切換手段）、各種の映像用エンコーダｖ１，ｖ２，ｖ３，…からなる映像用エンコーダ部２１（変換手段，記録手段）、映像信号Ａ／Ｄ変換器２２、アナログ映像入力端子２３、デジタル映像入力端子２４、セレクタ２５（音声用セレクタ２）（切換手段）、各種の音声用エンコーダａ１，ａ２，ａ３，…からなる音声用エンコーダ部２６（変換手段，記録手段）、音声信号Ａ／Ｄ変換器２７、アナログ音声入力端子２８、デジタル音声入力端子２９、ＣＰＵ１７、及び表示部１３から構成される。
【００２７】
以下、上述のように構成されたカード記録再生装置２００の動作を説明する。
本実施の形態では、映像・音声をカード記録再生装置２００で記録し、カード記録再生装置１００で再生することを前提に説明する。また、カード記録再生装置１００の再生情報を入手し、カード記録再生装置２００で映像・音声を記録する例を図４のフローチャートで説明する。
【００２８】
図４は、カード記録再生装置１００，２００を用いて、メモリカード１ヘ映像・音声を記録する流れの概要を示すフローチャートである。図中、Ｓはフローの各ステップであり、ステップＳ１〜Ｓ３が映像・音声再生装置としての流れを、ステップＳ４〜Ｓ７が映像・音声記録装置としての流れを示す。
【００２９】
まず、ステップＳ１でメモリカード１に記録された映像・音声のデータから記録信号情報を読み取り、ステップＳ２で再生できる方式か否かを判別する。再生できる方式でなければステップＳ３で適当な記録方式による記録信号情報を書き込んでステップＳ４に進む。また、再生できる方式のときは、そのままステップＳ４に進む。ここまでが映像・音声再生装置としての機能である。
【００３０】
ステップＳ４では、メモリカード１に記録された映像・音声のデータ又は前述の記録信号情報を読み取り、ステップＳ５で設定された記録方式か否かを判別する。設定された記録方式でなければステップＳ６で適当な記録方式に切り換えてステップＳ７に進む。また、設定された記録方式のときは、そのままステップＳ７に進む。ステップＳ７では、メモリカード１に設定された記録方式に従って映像・音声（音楽）データを記録する。
【００３１】
上述したフローの動作について更に具体的に説明する。
カード記録再生装置１００の再生可能な映像・音声のフォーマット（圧縮方式）の情報が書き込まれたメモリカード１は、映像・音声記録のためにカード記録再生装置２００に挿入される。カード記録再生装置２００は、ＰＣ（パーソナル・コンピュータ），ＳＴＢ（セット・トップ・ボックス）やホームサーバのような様々な記録方式を持つコンテンツを扱うホスト機器的な特徴を持つものである。そのため、カード記録再生装置２００には、様々なコンテンツを扱えるように各方式に対応したエンコーダ／デコーダが備えられている、また、メモリカード１専用のスロット３以外に、ＰＣＭＣＩＡカードアダプタ，ＵＳＢアダプタ，フロッピーディスクアダプタなどの汎用アダプタ１４を介して、様々なメモリカードとインターフェースを取ることが可能である。
【００３２】
メモリカード１は、カードスロット３又は汎用アダプタ１４を介してカードＩＦ／制御回路１６に接続されており、メモリカード１に記録されたデータをＣＰＵ１７のコントロールにより読み出し、デマルチプレクサ５に出力する。デマルチプレクサ５は、カード記録再生装置１００で書き込まれた“必要な記録方式を示す情報（映像・音声のフォーマット（圧縮方式））”を読み出しＣＰＵ１７に出力し、それを受けたＣＰＵ１７ではこの情報を基にメモリカード１に記録する方式を決定し、セレクタ２０（映像用セレクタ１）及びセレクタ２５（音声用セレクタ２）をコントロールする。
【００３３】
ＣＰＵ１７は、“必要な記録方式を示す情報”を最優先に判断するが、前述のようにメモリカード１に記録されたコンテンツの記録方式とカード記録再生装置１００の再生方式が一致している場合等この“必要な記録方式を示す情報”が記録されないデフォルトの状態が考えられるので、そのデフォルトの情報から判断する。
【００３４】
アナログ映像入力端子２３からの映像信号は、Ａ／Ｄ変換器２２によりデジタル信号に変換されて映像用エンコーダ部２１に入力され、デジタル映像入力端子２４からのデジタル信号も映像用エンコーダ２１に入力される。同様に、アナログ音声入力端子２８からの音声信号は、Ａ／Ｄ変換器２７によりデジタル信号に変換されて音声用エンコーダ部２６に入力され、デジタル音声入力端子２９からのデジタル信号も音声用エンコーダ２６に入力される。
【００３５】
映像用エンコーダ部２１、音声用エンコーダ部２６はそれぞれ様々な方式に対応したエンコーダやデータ変換機能を備えており、ＣＰＵ１７のコントロールを受けたセレクタ２０，２５により、“必要な記録方式を示す情報（映像・音声のフォーマット（圧縮方式））”と一致する記録方式でエンコードされた映像・音声の記録信号がマルチプレクサ１８に入力される。マルチプレクサ１８からの出力の記録信号は、カードＩＦ／制御回路１６、カードスロット３又は汎用アダプタ１４を介してメモリカード１に記録される。
【００３６】
このようにしてカード記録再生装置２００で映像・音声データを記録したメモリカード１をカード記録再生装置１００に挿入すると、既に方式を合わせた信号が再生されることになるので、何のトラブルもなく映像・音声を得ることが可能となる。
【００３７】
また、付加的機能として、カード記録再生装置１００，２００には、これらの処理の過程でどのような映像・音声のフォーマット（圧縮方式）を扱って設定するかがＣＰＵ１２，１７で判断されているので、ＣＰＵ１２，１７につながる液晶パネルなどを用いた表示部１３にその映像・音声のフォーマット（圧縮方式）を表示することで、装置使用者にも情報を提供することが可能となる。
【００３８】
ここで、本実施の形態に係るカード記録再生装置２００は、読み取ったフォーマット情報を基に映像・音声のエンコード方式を切り換え、切り換えたエンコード方式に基づいて映像・音声データをメモリカード１に記録するものであるが、図１のビデオデコーダ部６及びオーディオデコーダ部７を、図３の映像用エンコーダ部２１及び音声用エンコーダ部２６のように、各種フォーマットでデコードする複数のデコーダにより構成し、読み取ったフォーマット情報を基に映像・音声のデコード方式を切り換えるようにすれば、種々のフォーマットで記録された映像・音声データを再生することができる。
【００３９】
以上述べたように、上記各実施の形態では、カード再生装置の映像・音声のフォーマット（圧縮）を、メモリカード１のブート領域１ａ又はユーザ領域１ｂに書き込むことが可能なカード記録再生装置１００を用いて、メモリカード１に再生装置の情報（映像・音声のデコード方式）を書き込む。多種多様なメモリカード１に対応できるカード記録再生装置２００は、映像・音声の各種エンコード／デコード手段（映像・音声再生回路１９，映像用エンコーダ部２１，音声用エンコーダ部２６）を備えており、カード記録再生装置１００で記録された情報（映像・音声のデコード方式）を基に映像・音声のエンコード方式を選択し、メモリカード１に映像・音声データを記録する。カード再生装置の仕様を記録されたメモリカード１を介して映像・音声を記録するので、上記２装置１００，２００間の信号フォーマットの互換が簡単かつ自動的に取ることが可能となり、カード記録再生装置及びメモリカードを利用するユーザは特別な知識が無くても記録再生を行うことが可能となる。
【００４０】
なお、上述したように、映像・音声データをメモリカードに記録再生するカード記録再生装置であればどのような装置にも適用可能である。この場合、本カード記録再生装置自体が、例えば、ＰＤＡ（Personal Digital Assistant）や小型ノート型パソコンに組み込まれているものでもよい。
【００４１】
また、上記実施の形態では、カード記録再生装置の名称を用いているが、これは説明の便宜上であり、例えば再生のみを行うカード再生装置、記録のみを行うカード記録装置でもよい。また、映像・音声データのうち、映像データのみ、音声データのみを記録再生する装置であってもよい。
【００４２】
また、メモリカードには、ＡＴＲＡＣ３，ＭＰ３，ＴｗｉｎＶＱ，ＡＡＣなど各種圧縮方式で圧縮されたどのような記憶媒体を対象とするものでもよく、このような記録媒体としては、例えばＳＲＡＭ（Static RAM）カードや電源バックアップが不要なフラッシュメモリ等からなるコンパクトフラッシュ（ＣＦ）、スマートメディア、メモリスティクすべてに適用できる。
【００４３】
さらに、上記カード記録再生装置を構成するマルチプレクサ等の切換部や、インターフェース、入出力端子の種類、数及び接続方法などは前述した実施の形態に限られない。
【００４４】
【発明の効果】
以上、詳述したように、本発明によれば、使用するメモリカードに再生可能な映像・音声のフォーマット（圧縮方式）に関する情報を記録することができる。また、本発明によれば、カード記録再生装置で記録した情報を元に、映像・音声データを記録する方式を自動的に設定しメモリカードに記録することができる。
【００４５】
したがって、カード再生装置の情報（映像・音声のフォーマット）を簡単かつ自動的に入手し、それに合わせて映像・音声を記録できる。例えば、使用するメモリカードを、一旦、第１のカード記録再生装置に挿入した後で第２のカード記録再生装置に挿入すると、第１のカード記録再生装置で再生互換を取ることができ、映像・音声を簡単かつ自動的に記録することができる。
【図面の簡単な説明】
【図１】本発明の第１の実施の形態のカード記録再生装置の全体構成を示す図である。
【図２】本実施の形態のカード記録再生装置のメモリカードのデータ構造例を示す図である。
【図３】本発明の第２の実施の形態のカード記録再生装置の全体構成を示す図である。
【図４】本実施の形態のカード記録再生装置のメモリカードヘ映像・音声を記録する流れの概要を示すフローチャートである。
【符号の説明】
１  メモリカード
１ａ  ブート領域
１ｂ  ユーザ領域
２，１５  カード記録再生装置の基本回路部
３  カードスロット
４，１６  カードＩＦ／制御回路
５  デマルチプレクサ
６  ビデオデコーダ部
７  オーディオデコーダ部
８  映像信号Ｄ／Ａ変換器
９  音声信号Ｄ／Ａ変換器
１０  映像出力端子
１１  音声出力端子
１２，１７  ＣＰＵ（書込手段）
１３  表示部（表示手段）
１４  汎用アダプタ
１８  マルチプレクサ
１９  映像・音声再生回路
２０  セレクタ（映像用セレクタ１）（切換手段）
２１  各種の映像用エンコーダｖ１，ｖ２，ｖ３，…からなる映像用エンコーダ部（変換手段，記録手段）
２２  映像信号Ａ／Ｄ変換器
２３  アナログ映像入力端子
２４  デジタル映像入力端子
２５  セレクタ（音声用セレクタ２）（切換手段）
２６  各種の音声用エンコーダａ１，ａ２，ａ３，…からなる音声用エンコーダ部（変換手段，記録手段）
２７  音声信号Ａ／Ｄ変換器
２８  アナログ音声入力端子
２９  デジタル音声入力端子
１００，２００  カード記録再生装置
【図１】
0003643518.tif 000002
【図２】
0003643518.tif 000003
【図３】
0003643518.tif 000004
【図４】
0003643518.tif 000005